(57)【特許請求の範囲】
【請求項１】
接続すべき部材の対向する接続面近傍両側面端部に、
各々側面表面から直角に埋設して取り付けられ、両端が開口された略円筒状の金属製部材で構成される差し込み杆用孔形成部材と、
前記取り付けられた差し込み杆用孔形成部材の表面側に装着された可撓性部材よりなる抜け止め片と、
前記差し込み杆用孔形成部材により形成された差し込み杆用孔に、部材の接続装置及び部材の引き離し装置設置用の間隔を雄ねじ部の基端側に有して雄ねじ部の先端側から先細り状に切削された、市販のボルトを加工して形成したボルト状の差し込み杆と、
を備え、
前記抜け止め片は、差し込み杆用孔形成部材端部開口を覆うキャップ状をなし、該端部開口を覆う部分は円状に切りかかれてなると共に、外周端部から孔の中心に向けて輪状に張り出すヒレを有してなり、
前記端部開口を覆う部分の孔は差し込み杆用孔形成部材の開口径より小径とされて前記差し込み杆の切削部が嵌入可能とされると共に、該差し込み杆の基端側に有する切削していない箇所では、ねじの谷間が前記ヒレに引っかかる様構成し、
いずれの差し込み杆用孔に差し込まれるいずれの差し込み杆も、前記部材の接続装置及び部材の引き離し装置設置用の間隔となる所定の露出間隔を同様に有する様構成した、
ことを特徴とする部材の接続装置及び部材の引き離し装置用設置治具。
【発明の詳細な説明】
【０００１】
【発明の属する技術分野】
本発明は、例えば隣り合う大重量かつ大型のコンクリート製品等を略平行に接続したりあるいは一旦接続して緊結したものを再度引き離す際に用いる部材の埋設装置の設置用治具に関するものである。
【０００２】
【従来の技術】
従来、大重量かつ大型のコンクリート製品を平行に接続する接続作業において正確な位置あわせ、最終的な接続微調整には、多くの労力、作業手間および作業コストを必要としていた。すなわち、大重量かつ大型のコンクリート製品は簡単に動かし得ないからである。
【０００３】
そして、この接続作業では、まず接続すべきコンクリート製品をクレーンで吊り上げ、所定の位置まで移送した後に、該コンクリート製品の接続すべき端部を何人もの作業者が、バール等を用いて接続側へ押すなどの手段により行っていたため、かなりの労力と作業手間、作業コストを必要とし、効率的ではなかった。また、接続後に、何らかの理由により一旦最終接続した部材を離脱させたい場合であっても、接続作業の場合と同様に、労力や経費の面で多くの困難さを伴うものであった。
【０００４】
このような課題を解決するために、本件発明者は、接続すべきコンクリート製品の接続微調整、あるいは接続のための正確な位置あわせが簡単に行え、しかも製品コストがきわめて安価な部材の接続が可能となる部材の接続装置及び部材の引き離し方法を既に創案している（特願平１０−２６００７７号）。
【０００５】
【発明が解決しようとする課題】
しかして、この方法では、接続すべき部材の対向する接続面近傍の両側面部に設けられた差し込み杆に、仮架設した接続板と、該接続板を差し込み杆へ嵌め込むための接続治具とを重ねて配置する必要がある。このため、接続すべき部材の側面端部に突出させた差し込み杆の突出長さを常に一定に保ち、かつ差し込み杆が抜けないように差し込み、さらに迅速、簡単に差し込み取り付けられなければならない。
【０００６】
すなわち、突出した間隔に前記仮架設した接続板と、該接続板を差し込み杆へ嵌め込むための接続治具とを重ねて取り付けなければならないからである。しかしながら、その突出長の一定長さ保持のため、各差し込み杆の取り付け毎に突出長さを一定にすべく気にして差し込んでいたのではいたのでは、差し込み杆の数が多くなるほど、すなわち接続すべきコンクリート製品の数が多いほど作業手間となる。
【０００７】
また、接続作業中に各差し込み杆の間で突出間隔にバラツキがある場合、接続作業を一旦中止して突出長さの調整する必要もある。一方、差し込み杆の突出長さを一定に保つために新たな補助装置を使用することも考えられるが、製品開発コストを要する上、作業手間や作業期間がかかるため、作業効率を図る上では適切ではない。
【０００８】
かくして、本発明は前記課題に対処すべく創案されたものであり、差し込み杆を簡単かつ正確に、一定の突出長さに保つことができ、かつ、既存のボルトに若干加工を加えて差し込み杆として使用出来るため、製品コストがきわめて安価な部材の接続装置及び部材の引き離し装置用設置治具を提供することを目的とするものである。
【０００９】
【課題を解決するための手段】
本発明による部材の接続装置及び部材の引き離し装置用設置治具は、接続すべき部材の対向する接続面近傍両側面端部に、
各々側面表面から直角に埋設して取り付けられ、両端が開口された略円筒状の金属製部材で構成される差し込み杆用孔形成部材と、
前記取り付けられた差し込み杆用孔形成部材の表面側に装着された可撓性部材よりなる抜け止め片と、
前記差し込み杆用孔形成部材により形成された差し込み杆用孔に、部材の接続装置及び部材の引き離し装置設置用の間隔を雄ねじ部の基端側に有して雄ねじ部の先端側から先細り状に切削された、市販のボルトを加工して形成したボルト状の差し込み杆と、
を備え、
前記抜け止め片は、差し込み杆用孔形成部材端部開口を覆うキャップ状をなし、該端部開口を覆う部分は円状に切りかかれてなると共に、外周端部から孔の中心に向けて輪状に張り出すヒレを有してなり、
前記端部開口を覆う部分の孔は差し込み杆用孔形成部材の開口径より小径とされて前記差し込み杆の切削部が嵌入可能とされると共に、該差し込み杆の基端側に有する切削していない箇所では、ねじの谷間が前記ヒレに引っかかる様構成し、
いずれの差し込み杆用孔に差し込まれるいずれの差し込み杆も、前記部材の接続装置及び部材の引き離し装置設置用の間隔となる所定の露出間隔を同様に有する様構成した、
ことを特徴とするものである。
【００１０】
【発明の実施の形態】
以下、図に基づいて本発明に係る部材の接続装置及び部材の引き離し装置用設置治具の一実施の態様について説明する。本発明による部材の接続装置及び部材の引き離し装置用設置治具は差し込み杆用孔形成部材１と、この差し込み杆用孔形成部材１の一方の端部に装着された抜け止め片２と、前記突出用穴形成部材１内に嵌入されるボルト状をなす差し込み杆３とを有して構成されている。
【００１１】
ここで、差し込み杆用穴形成部材１は両端が開口された略円筒状の金属製部材で構成されており、その一端に可撓性部材よりなる抜け止め片２が装着されている。この抜け止め片２は円筒状をなす差し込み杆用孔形成部材１の端部を覆うキャップ状をなしており、さらに前記端部を覆う部分は円状に切りかかれて後述する差し込み杆３が嵌入出来るようになっている。
【００１２】
ただ、この端部を覆う箇所において円状に切りかかれた孔は差し込み杆用孔形成部材１の開口の径より小さい径になっている。すなわち、抜け止め片２の外周端部から孔の中心に向かって輪状のヒレ４が形成されている。尚、差し込み杆３はボルト状をなしており、雄ねじ部５とボルト頭６とにより構成されている。
【００１３】
また、前記雄ねじ部５の径は前記差し込み杆用穴形成部材１の径とほぼ同等の径とされており、通常の状態では差し込み杆用穴形成部材１に挿入できないものとなっている。そこで、本発明では前記雄ねじ部５の外周を基端部から先端に向かって先細り状に形成した。
【００１４】
そして、前記先細りに形成したのは雄ねじ部５全ての長さではなく、雄ねじ部５のボルト頭側に所定の間隔だけ露出するように露出用の間隔を設けている。従って、抜け止め片２が装着された差し込み杆用孔形成部材１の開口に差し込み杆３を挿入すると、雄ねじ部５を先細り状に切削した切削部は差し込み杆穴形成部材１内にスムーズに挿入されるが、切削していない箇所はねじの谷部がヒレ４に引っかかり、所定の露出間隔を残し、すなわち突出状態で係止するものとなっている。
【００１５】
このように、抜け止め片２が装着された差し込み杆用穴形成部材１に差し込み杆３を挿入すると、雄ねじ部５の先細りに形成された切削部はスムーズに挿入されるが切削されてない箇所はヒレ４等に妨げられて挿入できない状態となる。しかして、前記差し込み杆用穴形成部材１は、Ｕ字溝等を形成するためのコンクリート製品８をあらかじめ製造する際に埋設されて設置される。
【００１６】
そしてこのようなコンクリート製品８を複数個接続して一般に下水道、上水道の暗渠あるいはＵ字溝等が形成されるのである。ここで、コンクリート製品８は大型で重量が重く、その一つ一つそれ自体でも何トンもの重量を有している。したがって、これらコンクリート製品８の接続作業、特に接続微調整はきわめて面倒で困難な作業となる。
【００１７】
まず、接続すべきコンクリート製品８をクレーン等で吊り上げ、接続すべき設置箇所まで移送する。ここで、コンクリート製品８には通常あらかじめ、その長手方向両端の上方位置でかつ両脇に前記の差し込み杆用穴形成部材１が都合４カ所に埋設設置され、これにより４つの穴が設けられている。
【００１８】
従ってこの４カ所の穴にボルト状の差し込み杆３を嵌め込まれ、これを吊り上げ用のフックとして使用し、クレーン等に引っかけて吊り上げ、所定の設置個所まで移動するのである（図３参照）。設置個所まで移動した後、吊り上げてあるコンクリート製品８を降下させ、既に設置してあるコンクリート製品８の接続面１９と吊り上げてあるコンクリート製品８の接続面１９とを対向させつつ接続設置すべきコンクリート製品８を仮置きする。
【００１９】
尚、前述したとおり、相隣るコンクリート製品８，８の対向する接続面１９，２近傍の側面部には各々差し込み杆用穴形成部材１により穴が設けられており、該穴にはクレーン等で吊り上げるために使用するフック用の差し込み杆３，３が嵌入されているが、この差し込み杆３，３、正確には差し込んだ後に外部に露出している差し込み杆３の露出部９，９をコンクリート製品８，８の接続作業にも使用することになる。
【００２０】
よって、差し込み杆３を穴の中に所定の露出部９を保持した状態で嵌入する必要が生ずる。既に述べたが、抜け止め片２が装着された差し込み杆用孔形成部材１の穴に差し込み杆３を挿入すると、雄ねじ部５を先細り状に切削した箇所は差し込み杆穴形成部材１内に挿入されるが、切削していない箇所のねじの谷部がヒレ４等に引っかかり、所定の間隔（露出部９）を残して係止するのである。
【００２１】
次に接続装置及び部材の引き離し装置の設置につき説明すると、まず、差し込み杆３の露出部９，９間に亘ってまず接続板１０を仮架設する（図４，図６参照）。接続板１０は、図４に示すように略方形状をなし、両端側に各々凹溝状をなす係止部１１と嵌め込み溝１２とを有するタイプと、一端側には透孔として形成された係止部１１と他端側には凹溝状をなす嵌め込み溝１２とを有するタイプとがある。しかし、何らこれらの構成に限定されるものではない。
【００２２】
接続板１０を両差し込み杆の露出部９，９間に仮架設するのは、図４に示すように、一方側の差し込み杆の露出部９，９に凹溝条の係止部１１を嵌め込み、他方側の差し込み杆露出部９上に他方側の嵌め込み溝１２近傍の接続板下面を載置させて仮架設する構成をとる。これにより、他方側の差し込み杆３の露出部９には接続板１０の他方側の嵌め込み溝１２が嵌め込み直前状態とされる。
【００２３】
また、一方側の差し込み杆３を一旦引き抜き、接続板１０の透孔状係止部１１に差し込みながら穴に差し込み、他方側の差し込み杆露出部９上には、やはり他方側の嵌め込み溝近傍の接続板下面を載置させて嵌め込み直前状態として仮架設しておく構成も採用される。その後、接続治具１３を前記接続板１０に続いて両差し込み杆露出部９，９間に取り付ける（図５参照）。
【００２４】
ここで、接続治具９の構成につき説明する。該接続治具１３は治具本体１４と作動板１５と操作棒１６とを有して構成されている。治具本体１４は略長方形状をなし、その長手方向の一端側には一方側に位置する差し込み杆露出部９に係止する凹溝状の係止部２１が形成され、他端側には接続すべき作動板１５の一端を回動可能に軸支した軸支部１７が形成されている。しかし、この治具本体１４の形状等も略長方形状のみに限定されるものではない。
【００２５】
そして、作動板１５は図示するように、正方形に近い長方形状をなしており、その長手方向一端側は前記治具本体１４の他端と回転可能に軸支され、他端側には長手方向一端側に向かって切欠された掛合凹部１８が形成されている。尚、この作動板１４の形状についても何らこの実施の態様のものに限定されるものではない。
【００２６】
操作棒１６は、作動板１５の一側面側に取り付けられている。以上において接続治具１３の設置状態につき図５、図６，図７を参照して説明する。まず、治具本体１４の凹溝状をなす係止部１１内に一方側に位置する差し込み杆３の露出部９を嵌め込んで係止させる。次いで作動板１５の他端に形成された掛合凹部１８内に他方の差し込み杆３の露出部９を入れ（図６参照）、その状態から操作棒１６を図に向かって右側に回動させる（図７参照）。
【００２７】
すると、作動板１５は掛合凹部１８と他方の差し込み杆露出部９との掛合部を回転軸として回転し、その結果治具本体１４は他方側の差し込み杆３側に引っ張られる。そしてこれにより相隣るコンクリート製品８，８の接続面１９，１９間は図４の状態から図８の状態の様に近接の状態となり、図８の状態になったとき、他方の差し込み杆露出部９上で嵌め込み直前状態とされていた接続板１０の嵌め込み溝１２内に他方の差し込み杆露出部９が嵌まり込み、その結果コンクリート製品８，８は正確、確実に接続される。
【００２８】
ところで、相隣るコンクリート製品８，８の接続面１９，１９間には柔軟性を有するパッキング材２０，２０が介在されており、これが接続の際、押圧されてより密着されたコンクリート製品８，８の接続が得られる。図８のように接続板１０で両コンクリート製品８，８を完全に繋いだ後、接続治具１３を外して接続作業は終了する。
【００２９】
ここで、一対の差し込み杆３，３と接続板１０はいわゆる埋め殺し部材となるが、接続治具１３は汎用部材として何回も使用できる。尚、何らかの事情で一度接続したコンクリート製品８，８の接続を外さなくてはならない場合、本発明では簡単にその接続離脱が出来る。すなわち、図８の状態から図４に示す状態に接続治具１３を設置し、図７の矢印の方向に向かって操作棒１６を若干回動させる。すると介在しているパッキング部材２０，２０が押圧されて接続板１０の係止部１１，嵌め込み溝１２と一対の差し込み杆露出部９，９との嵌め込み関係が若干緩み、その状態で接続板１０を上方に持ち上げれば、簡単に接続板１０が外れるものとなる。
【００３０】
しかして、このような本発明の構成によれば、操作棒１６を回動させるという小さな力のみで迅速に、確実かつ正確に位置決めして相隣るコンクリート製品８，８を接続できるものとなり、またこの強固な接続を同じ装置を使用して簡単に外すことが出来る。しかも、接続に使用する穴は吊り上げ移動で使用する吊り上げ穴を利用して兼用するものであり、その面からも作業の軽減が図れる。
【００３１】
【発明の効果】
かくして本発明は以上の構成よりなる。そして、本発明による部材の接続装置及び引き離し装置であれば、接続板及び接続治具を使用するコンクリート製品の接続微調整、引き離し作業において、迅速かつ簡単な作業で差し込み杆をたえず一定の長さに突出させて取り付けることが出来る。
【００３２】
また、差し込み杆は、市販される雄ネジなどを使用することができるので、製品コストがきわめて安価な部材の接続装置及び部材の引き離し装置用設置治具を提供することができる。しかも、接続に使用する穴は吊り上げ移動で使用する吊り上げ穴を利用して兼用するものであり、その面からも作業の軽減が図れる。
【図面の簡単な説明】
【図１】 本発明の構成を説明する構成説明図（その１）である。
【図２】 本発明の構成を説明する構成説明図（その２）である。
【図３】 本発明の使用状態を説明する使用状態説明図（その１）である。
【図４】 本発明の使用状態を説明する使用状態説明図（その２）である。
【図５】 本発明の使用状態を説明する使用状態説明図（その３）である。
【図６】 本発明の使用状態を説明する使用状態説明図（その４）である。
【図７】 本発明の使用状態を説明する使用状態説明図（その５）である。
【図８】 本発明の使用状態を説明する使用状態説明図（その６）である。
【符号の説明】
１ 差し込み杆用穴形成部材
２ 抜け止め片
３ 突出部
４ ヒレ
５ 雄ねじ部
６ ボルト頭
８ コンクリート製品
９ 露出部
１０ 接続板
１１ 係止部
１２ 嵌め込み溝
１３ 接続板
１４ 治具本体
１５ 作動板
１６ 操作棒
１７ 軸支部
１８ 掛合凹部
１９ 接続面
２０ パッキング部材
２１ 係止部
【図１】
0004080097.tif 000002
【図２】
0004080097.tif 000003
【図３】
0004080097.tif 000004
【図４】
0004080097.tif 000005
【図５】
0004080097.tif 000006
【図６】
0004080097.tif 000007
【図７】
0004080097.tif 000008
【図８】
0004080097.tif 000009